(57)【要約】【課題】  鋼管などの突切切断装置に付設して、突切された鋼管リング素材を次工程に方向を揃えて搬送するための低コストで場所を取ることのないベルトコンベア装置を提供する。【解決手段】  鋼管から切断した切断リング６を搬送するための搬送ベルト２の上面にリング係止用のベルト幅長さの複数の凸状桟からなる突起３をベルト幅方向に間隔を空けて配設し、搬送ベルト２のベルト幅中央に向けて突き出しながら搬送ベルト２の進行方向に徐々に先端を湾曲するとともに上記の凸状桟からなる突起３よりやや上方に配置した複数個の湾曲板バネ５を邪魔板として搬送ベルト２の左右に沿う固定側壁から左右交互に互いに間隔を空けて配設した切断リング６の方向揃え機能を有する搬送ベルトコンベア１。【選択図】        図１
2005170647.tif 000002
【特許請求の範囲】
【請求項１】
鋼管から切断した切断リングを搬送するための搬送ベルトの上面にリング係止用のベルト幅長さの複数の凸状桟からなる突起をベルト幅方向に間隔を空けて配設し、搬送ベルトのベルト幅中央に向けて突き出しながら搬送ベルトの進行方向に徐々に先端を湾曲するとともに上記の凸状桟からなる突起よりやや上方に配置した複数個の湾曲板バネを邪魔板として搬送ベルトの左右に沿う固定側壁から左右交互に互いに間隔を空けて配設したことを特徴とする切断リングの方向揃え機能を有する搬送ベルトコンベア。
【請求項２】
搬送ベルトの左右に沿う固定側壁からベルト幅中央に向けて左右交互に突出する湾曲板バネは、搬送ベルトのベルト幅の１／３〜１／２まで突出することを特徴とする請求項１に記載の切断リングの方向揃え機能を有する搬送ベルトコンベア。
【請求項３】
鋼管から切断した切断リングはリング幅がリング半径に比較して広い、即ち、リング半径／リング幅≦１の幅広切断リングであることを特徴とする請求項１〜２に記載の切断リングの方向揃え機能を有する搬送ベルトコンベア。
【発明の詳細な説明】
【技術分野】
【０００１】
この発明は、ディスク切断機で鋼管から必要長さに切断して得られたリング素材、例えばベアリング用のアウターレース用あるいはインナーレース用の素材である切断リング素材、をディスク切断機から順次に取り出して次工程の所定箇所に搬送するための搬送コンベアに関する。
【背景技術】
【０００２】
各種のリング、例えばベアリング用のアウターレースあるいはインナーレース、に加工する鋼素材は、従来は、機械構造用鋼や軸受用鋼などの鋼素材を鍛造してリング素材としていたが、近時は機械構造用鋼や軸受用鋼からなる鋼管を製造し、これらの鋼管を切断して切断リング素材とし、得られた切断リング素材を冷間ローリング装置により冷間ローリング加工して目的とするリング素材、例えばベアリングのレース用のリング素材、としている。このために、鋼管から目的とするリング素材に切断して次工程に送給する必要があり、搬送用の搬送コンベアを利用している。
【０００３】
ところで、このような小物ワークを搬送して次工程に受け渡しする小物搬送用の搬送コンベアにおいて搬送コンベア上の小物ワークをカメラで姿勢検出し、さらに小物ワークの表裏を検出する表裏検出手段により検出し、ロボットおよび反転機構によりその小物ワークの３次元方向を整える小物ワークの受け渡し制御装置が開発されている（例えば、特許文献１参照。）。
【０００４】
しかし、この装置は多数のカメラやロボットを必要とし、かつ、コンピュータを使用して制御するなど設備費が掛かり、機構も大がかりとなるなど、極めて正確な制御をする場合には適している。しかし、単に上記したように切断した鋼管の姿勢を整えて次工程に搬送する場合には、このようなコストも掛かり、設置場所も必要とするこのような装置、およびその方法は不要である。
【０００５】
【特許文献１】特開２００２−２７４６４１号公報
【発明の開示】
【発明が解決しようとする課題】
【０００６】
本発明が解決しようとする課題は、鋼管などの突切切断装置に付設して、突切された鋼管リング素材を次工程に方向を揃えて搬送するための低コストで場所を取ることのないベルトコンベア装置を提供することである。
【課題を解決するための手段】
【０００７】
上記の課題を解決するための本発明の手段は、請求項１の発明では、鋼管から切断した切断リングを搬送するための搬送ベルトの上面にリング係止用のベルト幅長さの複数の凸状桟からなる突起をベルト幅方向に間隔を空けて配設し、搬送ベルトのベルト幅中央に向けて突き出しながら搬送ベルトの進行方向に徐々に先端を湾曲するとともに上記の凸状桟からなる突起よりやや上方に配置した複数個の湾曲板バネを邪魔板として搬送ベルトの左右に沿う固定側壁から左右交互に互いに間隔を空けて配設したことを特徴とする切断リングの方向揃え機能を有する搬送ベルトコンベアである。
【０００８】
請求項２の発明では、搬送ベルトの左右に沿う固定側壁からベルト幅中央に向けて左右交互に突出する湾曲板バネは、搬送ベルトのベルト幅の１／３〜１／２まで突出することを特徴とする請求項１の手段の切断リングの方向揃え機能を有する搬送ベルトコンベアである。
【０００９】
請求項３の発明では、鋼管から切断した切断リングはリング幅がリング半径に比較して広い、即ち、リング半径／リング幅≦１の幅広切断リングであることを特徴とする請求項１〜２の手段の切断リングの方向揃え機能を有する搬送ベルトコンベアである。
【００１０】
上記手段の搬送ベルトコンベアの作用を説明する。先ず、鋼管から切断されて搬送ベルト上に落下して載置された切断リングは、次工程の作業の都合上、全ての切断リングが平面状のリング端面で搬送ベルトに当接した状態で載置されて搬送ベルトで送給される必要がある。ところで、鋼管から切断されて搬送ベルト上に落下して載置された切断リングは、曲状のリング側部が搬送ベルトに当接して載置されたものと、平面状のリング端面が搬送ベルトに当接して載置さたものとが混在した状態で搬送ベルトで凸状桟からなる突起に係止されて搬送され始める。ところで、搬送ベルトの移動に伴い切断リングは搬送ベルトの側壁に固定され搬送ベルトのベルト幅の１／３〜１／２の中央部に張り出した湾曲板バネからなる邪魔板と当接することとなり、切断リングは搬送ベルトの進行方向への直進が突出した湾曲板バネにより妨害されることとなる。この結果、切断リングは当接した湾曲板バネの曲面に沿ってベルト中央部の突出した湾曲板バネを越えるまで移行され、湾曲板バネから外れると、その後は搬送ベルトの凸状桟からなる突起により係止されて直進する。さらに切断リングの進行に連れ、次の反対側から突出する湾曲板バネの曲面に当接して直進進行を妨害され、湾曲板バネの曲面に沿ってベルト中央部の湾曲板バネを越えるまで移行する。
【００１１】
かくして、切断リングは蛇行しながら進行することになるが、この蛇行を繰り返している間に、搬送ベルトに曲状のリング側部で載置されたものと、平面状のリング端面で載置さたもののうち、曲状のリング側部で搬送ベルトに載置された切断リングが湾曲板バネの曲面と摩擦係合し、一方、リング本体の下方の部分が凸状桟からなる突起に当たって押される結果、リング本体の上部が湾曲板バネにより倒される結果、平面状のリング端面が搬送ベルトに当接した状態に座り直された状態で載置される。かくて「座り」の安定した平面状のリング端面が搬送ベルトとに接触した状態となり、全ての切断リングが搬送ベルトに平面状のリング端面で載置されて座り方向が揃うこととなる。
【発明の効果】
【００１２】
この発明は、複雑で高価な特殊な手段からなる装置を使用することなく、邪魔板である湾曲バネ板を搬送ベルトの側壁に設置し、搬送ベルトに凸状桟からなる突起を設けることで搬送ベルトコンベアで搬送中に切断リングの方向を次工程に流しやすい方向に揃えることが自動的にできる、優れた効果を奏するものである。
【発明を実施するための最良の形態】
【００１３】
本発明の実施の形態を図面を参照して説明する。図１は本発明の搬送ベルトコンベアの上面から見た模式図、図２は切断リングを載置した搬送ベルトを側面から見た模式図で、（ａ）は切断リングが側部接触と端面接触で混在した図で、（ｂ）は全ての切断リングにおいて端面接触に方向が揃えられている図を示す。
【００１４】
本発明の実施の形態を示すと、鋼管から切断した切断リング６を搬送するための搬送ベルトコンベア１は搬送ベルト２からなる。搬送ベルト２の左右に沿って固定側壁４が設けられている。搬送ベルト２の上面には切断リング６を搬送中に係止するために、搬送ベルト２のベルト幅長さを有する凸状桟からなる突起３がベルト幅方向に適宜に間隔を空けて複数個が搬送ベルト２と一体で搬送ベルト移動方向７に移動する状態で配設されている。搬送ベルト２に配設の凸状桟からなる突起３よりやや上方の位置において、搬送ベルト２のベルト幅中央に向けて突き出しながら搬送ベルト２の進行方向に徐々に先端を湾曲して配置された複数個の湾曲板バネ５が搬送ベルト２と平行に設けられている。これらの複数個の湾曲板バネ５は搬送ベルト２の左右に沿う固定側壁４から左右交互に突き出し、それらは互いに間隔を空けて、例えば４か所以上に、配設されている。従って、切断リング６は搬送ベルト２で搬送されて湾曲板バネ５と当接して図１に示す矢印の切断リング移行方向８に蛇行して搬送されることとなる。
【００１５】
さらに、他の実施の形態では、上記の搬送ベルトコンベア１において、搬送ベルト２の左右に沿う固定側壁４からベルト幅中央に向けて左右交互に突出する湾曲板バネ５は、搬送ベルト２のベルト幅の１／３〜１／２の位置まで突出している。このようにベルト幅の１／３〜１／２の位置まで湾曲板バネ５が突出しているので、搬送ベルト２で移行される切断リング６のうち、側面載置リング６ｂは順次搬送ベルト２上を蛇行して移行しながら転がる。特に図２に示すように、搬送ベルト２が斜めに上昇する搬送ベルト移動方向７に設置されているものでは、側面載置リング６ｂが搬送ベルト２の傾斜面を下方に転動している間に、その中に凸状桟からなる突起３により移動方向７に上昇されて湾曲板バネ５に当接し、このように蛇行を繰り返して移行中に起き上がらされて端面載置リング６ａとなり、切断リング６の端面が搬送ベルト２に当接した状態の方向に揃えられる。
【００１６】
さらに、他の実施の形態では、上記の搬送ベルトコンベア１において、搬送される切断リング６は、鋼管から切断された切断間のリング長さであるリング幅よりもリング半径の方が短いか同じであるリングである。
【００１７】
搬送ベルトコンベア１には、そのベルト幅の１／２〜１／３の長さの湾曲板バネ５が切断リング６の進行の邪魔板として搬送ベルト２のサイドの固定側壁４に互いに離間して４ケ所以上に取り付けられている。これらの湾曲板バネ５の取付けにより、搬送ベルト２上に載置されたワークである切断リング６はこの邪魔板である湾曲板バネ５に当接して蛇行して移行中に起き上がらされることとなり、切断リング６は搬送ベルト２で搬送されながら切断リング６の端面が搬送ベルト２に当接した状態にその方向が揃えられる。この結果、切断リング６は次工程に流し易い方向に揃えられている。
【図面の簡単な説明】
【００１８】
【図１】本発明の搬送ベルトコンベアの上面から見た模式図である。
【図２】切断リングを載置した搬送ベルトを側面から見た模式図で、（ａ）は切断リングが側部接触と端面接触で混在した図で、（ｂ）は全ての切断リングにおいて端面接触に方向が揃えられている図を示す。
【符号の説明】
【００１９】
１  搬送ベルトコンベア
２  搬送ベルト
３  凸状桟からなる突起
４  固定側壁
５  湾曲板バネ
６  切断リング
６ａ  端面載置リング
６ｂ  側面載置リング
７  搬送ベルト移動方向
８  切断リング移行方向
【図１】
2005170647.tif 000003
【図２】
2005170647.tif 000004